(57)【要約】本開示は、無線通信システムにおける電子機器及び無線通信方法に関する。当該機器は１つ又は複数の処理回路を含み、前記処理回路は、第２サブキャリアでの自己完結型サブフレームの１つの伝送時間間隔ＴＴＩにおいて、第２サブキャリアでの自己完結型サブフレームにおける下りシンボル及び上りシンボルのうち各シンボルの境界が調整された第１サブキャリアでの自己完結型サブフレームにおけるシンボルの境界に揃え、調整された第１サブキャリアでの自己完結型サブフレームにおける調整されていない他のシンボルに比べて、調整された第１サブキャリアでの自己完結型サブフレームにおける一つ目のシンボルはより長い長さを有するように、第１サブキャリアでの自己完結型サブフレームにおけるシンボルの長さを調整する、操作を実行するように配置されている。本開示に係る電子機器及び無線通信方法を使用すれば、異なるサブキャリア間隔を採用するシナリオではシンボル揃えを実現して、異なるサブキャリア間隔の間の干渉を回避または低減することができる。【選択図】図５
2020506562.tif 000002
【特許請求の範囲】
【請求項１】
無線通信システムにおける電子機器であって、１つ又は複数の処理回路を含み、
前記処理回路は、
第２サブキャリアでの自己完結型サブフレームの１つの伝送時間間隔ＴＴＩにおいて、前記第２サブキャリアでの自己完結型サブフレームにおける下りシンボル及び上りシンボルのうち各シンボルの境界は、調整された第１サブキャリアでの自己完結型サブフレームにおけるシンボルの境界に揃え、調整された第１サブキャリアでの自己完結型サブフレームにおける調整されていない他のシンボルに比べて調整された第１サブキャリアでの自己完結型サブフレームにおける一つ目のシンボルはより長い長さを有するように、第１サブキャリアでの自己完結型サブフレームにおけるシンボルの長さを調整する操作、
を実行するように配置されていており電子機器。
【請求項２】
前記第１サブキャリアでの自己完結型サブフレームにおけるシンボルのサイクリックプレフィックスＣＰの長さを延長又は短縮することによって、前記処理回路は前記第１サブキャリアでの自己完結型サブフレームにおけるシンボルの長さを調整する請求項１に記載の電子機器。
【請求項３】
前記処理回路は前記第１サブキャリアでの自己完結型サブフレームにおける、一つ目のシンボルに隣接するシンボルの長さを調整する請求項１に記載の電子機器。
【請求項４】
前記処理回路は前記第１サブキャリアでの自己完結型サブフレームにおけるシンボルの長さを調整する前に、前記第１サブキャリアでの自己完結型サブフレームにおける一つ目のシンボルは第１長さを有し、前記第１サブキャリアでの自己完結型サブフレームにおける他のシンボルは第２長さを有し、前記第１長さは前記第２長さよりも大きい請求項１に記載の電子機器。
【請求項５】
前記処理回路は前記第１サブキャリアでの自己完結型サブフレームにおける二つ目のシンボルの長さしかを調整しなく、さらに前記第１サブキャリアでの自己完結型サブフレームに保護間隔を挿入する請求項４に記載の電子機器。
【請求項６】
前記処理回路は前記第１サブキャリアでの自己完結型サブフレームにおけるシンボルの長さを調整する前に、前記第１サブキャリアでの自己完結型サブフレームにおける一つ目のシンボル及び保護間隔における１つのシンボルは第１長さを有し、前記第１サブキャリアでの自己完結型サブフレームにおける他のシンボルは第２長さを有し、前記第１長さは前記第２長さよりも大きい請求項１に記載の電子機器。
【請求項７】
前記処理回路は前記第１サブキャリアでの自己完結型サブフレームにおける、一つ目のシンボルに隣接するシンボルの長さを調整し、さらに前記第１サブキャリアでの自己完結型サブフレームに保護間隔を挿入し、さらに前記第１サブキャリアでの自己完結型サブフレームにおける保護間隔の長さを調整する請求項６に記載の電子機器。
【請求項８】
処理回路無許可バンド又は許可バンドで前記操作を実行する請求項１に記載の電子機器。
【請求項９】
前記第１サブキャリアでの自己完結型サブフレームと前記第２サブキャリアでの自己完結型サブフレームは、同一構造を有する請求項１に記載の電子機器。
【請求項１０】
前記第１サブキャリアでの自己完結型サブフレーム及び前記第２サブキャリアでの自己完結型サブフレームは、下り部分、上り部分、及び前記下り部分と前記上り部分の間にある保護間隔を含む請求項９に記載の電子機器。
【請求項１１】
前記下り部分と前記上り部分におけるシンボルは、直交周波数分割多重ＯＦＤＭシンボルである請求項１０に記載の電子機器。
【請求項１２】
前記第１サブキャリアのサブキャリア間隔は前記第２サブキャリアのサブキャリア間隔の２ｎ倍であり、ただし、ｎは自然数であり、前記第２サブキャリアでの自己完結型サブフレームにおける下りシンボル及び上りシンボルのうち各シンボルの境界は、調整された第１サブキャリアでの自己完結型サブフレームにおける２ｎ個のシンボルの境界に揃える請求項１に記載の電子機器。
【請求項１３】
前記無線通信システムは５Ｇの新無線ＮＲシステムであり、前記電子機器は基地局とユーザ機器の一方であり、前記電子機器は送受信機をさらに含み、前記送受信機は基地局とユーザ機器の他方と無線通信するように配置されている請求項１〜１２のいずれか１項に記載の電子機器。
【請求項１４】
無線通信システムにおけるユーザ機器であって、１つ又は複数の処理回路を含み、
前記処理回路は、
前記無線通信システムにおける基地局からの下りシグナリングを取得し、
前記下りシグナリングから、調整された第１サブキャリアでの自己完結型サブフレームにおけるシンボルの長さを取得する、操作を実行するように配置されていており、
ただし、第２サブキャリアでの自己完結型サブフレームの１つの伝送時間間隔ＴＴＩにおいて、
前記第２サブキャリアでの自己完結型サブフレームにおける下りシンボル及び上りシンボルのうち各シンボルの境界は、調整された第１サブキャリアでの自己完結型サブフレームにおけるシンボルの境界に揃え、
調整された第１サブキャリアでの自己完結型サブフレームにおける調整されていない他のシンボルに比べて調整された第１サブキャリアでの自己完結型サブフレームにおける一つ目のシンボルはより長い長さを有するユーザ機器。
【請求項１５】
無線通信システムであって、基地局とユーザ機器を含み、
前記基地局は、
第１送受信機と、
１つ又は複数の第１処理回路とを含み、
前記第１処理回路は、
第２サブキャリアでの自己完結型サブフレームの１つの伝送時間間隔ＴＴＩにおいて、前記第２サブキャリアでの自己完結型サブフレームにおける下りシンボル及び上りシンボルのうち各シンボルの境界は、調整された第１サブキャリアでの自己完結型サブフレームにおけるシンボルの境界に揃え、調整された第１サブキャリアでの自己完結型サブフレームにおける調整されていない他のシンボルに比べて調整された第１サブキャリアでの自己完結型サブフレームにおける一つ目のシンボルはより長い長さを有するように、第１サブキャリアでの自己完結型サブフレームにおけるシンボルの長さを調整し、前記第１送受信機が調整された第１サブキャリアでの自己完結型サブフレームにおけるシンボルの長さを前記ユーザ機器に通知するように、操作を実行するように配置されており、
前記ユーザ機器は、
第２送受信機と、
１つ又は複数の第２処理回路とを含み、
前記第２処理回路が、
前記第２送受信機により前記基地局からの下りシグナリングを取得し、
前記下りシグナリングから、調整された第１サブキャリアでの自己完結型サブフレームにおけるシンボルの長さを取得する、操作を実行するように配置されている。
【請求項１６】
無線通信システムにおける無線通信用方法であって、
第２サブキャリアでの自己完結型サブフレームの１つの伝送時間間隔ＴＴＩにおいて、
前記第２サブキャリアでの自己完結型サブフレームにおける下りシンボル及び上りシンボルのうち各シンボルの境界は、調整された第１サブキャリアでの自己完結型サブフレームにおけるシンボルの境界に揃え、調整された第１サブキャリアでの自己完結型サブフレームにおける調整されていない他のシンボルに比べて調整された第１サブキャリアでの自己完結型サブフレームにおける一つ目のシンボルはより長い長さを有するように、第１サブキャリアでの自己完結型サブフレームにおけるシンボルの長さを調整することを含む方法。
【請求項１７】
無線通信システムにおける無線通信用方法であって、
前記無線通信システムにおける基地局からの下りシグナリングを取得し、
前記下りシグナリングから、調整された第１サブキャリアでの自己完結型サブフレームにおけるシンボルの長さを取得することを含み、
第２サブキャリアでの自己完結型サブフレームの１つの伝送時間間隔ＴＴＩにおいて、
前記第２サブキャリアでの自己完結型サブフレームにおける下りシンボル及び上りシンボルのうち各シンボルの境界は、調整された第１サブキャリアでの自己完結型サブフレームにおけるシンボルの境界に揃え、
調整された第１サブキャリアでの自己完結型サブフレームにおける調整されていない他のシンボルに比べて調整された第１サブキャリアでの自己完結型サブフレームにおける一つ目のシンボルはより長い長さを有する方法。
【発明の詳細な説明】
【技術分野】
【０００１】
本願は、２０１７年１月１２日に中国専利局に提出した、出願番号が２０１７１００２２２４１．Ｘであって、発明の名称が「無線通信システムにおける電子機器及び無線通信方法」である中国特許出願の優先権を主張し、本願で、その全ての内容を援用するものとする。
【０００２】
本開示は無線通信の技術分野に関し、具体的には、無線通信システムにおける電子機器及び無線通信システムにおける無線通信用の方法に関する。
【背景技術】
【０００３】
伝送環境とユーザーサービスのニーズに応じて、典型的なＬＴＥ（Ｌｏｎｇ  Ｔｅｒｍ  Ｅｖｏｌｕｔｉｏｎ、長期進化）通信システムは、サブキャリア間隔が１５ｋＨｚであり、ＴＴＩ（Ｔｒａｎｓｍｉｓｓｉｏｎ  Ｔｉｍｅ  Ｉｎｔｅｒｖａｌ、伝送時間間隔）が１ｍｓであるように配置されている。しかしながら、未来の５Ｇの新しいエアーインタフェース技術では、単一構成のサブキャリア間隔及びＴＴＩは、もはやサブフレームのフレキシブル構成及び超低遅延伝送のニーズを満たすことができない。特に、多くの自己完結型サブフレームを含む無許可バンドに著しい。５Ｇの低遅延且つ高信頼接続のニーズに基づくシナリオでは、往復のエアーインタフェース遅延が１ｍｓ未満であることが要求される。５Ｇの新しい通信システムは、異なるサブキャリア間隔（ｓｕｂｃａｒｒｉｅｒ  ｓｐａｃｉｎｇ）を活用することによって実現できる。しかしながら、異なるサブキャリア間隔でデータを伝送する場合、異なるサブキャリア間隔のサブフレーム構造の相違のために、異なるサブキャリア間隔による伝送での干渉を引き起こし、通信品質に影響を与えることは容易である。
【０００４】
従って、異なるサブキャリア間隔の間の干渉を回避または低減するために、新しい無線通信技術案を提案する必要がある。
【発明の概要】
【発明が解決しようとする課題】
【０００５】
ここで、本発明の全ての範囲又はその全ての特徴を取り尽くし的概説ではなく、本発明に関する簡単な概説を提供する。
【０００６】
本開示の目的は、異なるサブキャリア間隔を採用したシナリオでシンボル揃えを実現可能にして、異なるサブキャリア間隔の間の干渉を回避または低減するように、無線通信システムにおける電子機器及び無線通信システムにおける無線通信用の方法を提供することにある。
【課題を解決するための手段】
【０００７】
本開示の一局面によれば、無線通信システムにおける電子機器を提供している。前記電子機器は、１つ又は複数の処理回路を含む。前記処理回路は、第２サブキャリアでの自己完結型サブフレームの１つの伝送時間間隔ＴＴＩにおいて、前記第２サブキャリアでの自己完結型サブフレームにおける下りシンボル及び上りシンボルのうち各シンボルの境界は、調整された第１サブキャリアでの自己完結型サブフレームにおけるシンボルの境界に揃え、調整された第１サブキャリアでの自己完結型サブフレームにおける調整されていない他のシンボルに比べて調整された第１サブキャリアでの自己完結型サブフレームにおける一つ目のシンボルはより長い長さを有するように、第１サブキャリアでの自己完結型サブフレームにおけるシンボルの長さを調整する、操作を実行するように配置されている。
【０００８】
本開示の他の局面によれば、無線通信システムにおけるユーザ機器を提供している。前記ユーザ機器は、１つ又は複数の処理回路を含む。前記処理回路は、前記無線通信システムにおける基地局からの下りシグナリングを取得し、前記下りシグナリングから、調整された第１サブキャリアでの自己完結型サブフレームにおけるシンボルの長さを取得する操作を実行するように配置されており、ただし、第２サブキャリアでの自己完結型サブフレームの１つの伝送時間間隔ＴＴＩにおいて、前記第２サブキャリアでの自己完結型サブフレームにおける下りシンボル及び上りシンボルのうち各シンボルの境界は、調整された第１サブキャリアでの自己完結型サブフレームにおけるシンボルの境界に揃え、調整された第１サブキャリアでの自己完結型サブフレームにおける調整されていない他のシンボルに比べて、調整された第１サブキャリアでの自己完結型サブフレームにおける一つ目のシンボルはより長い長さを有する。
【０００９】
本開示の他の局面によれば、無線通信システムを提供している。基地局とユーザ機器を含み、前記基地局は、第１送受信機と、１つ又は複数の第１処理回路とを含む。前記第１処理回路は、第２サブキャリアでの自己完結型サブフレームの１つの伝送時間間隔ＴＴＩにおいて、前記第２サブキャリアでの自己完結型サブフレームにおける下りシンボル及び上りシンボルのうち各シンボルの境界は、調整された第１サブキャリアでの自己完結型サブフレームにおけるシンボルの境界に揃え、調整された第１サブキャリアでの自己完結型サブフレームにおける調整されていない他のシンボルに比べて、調整された第１サブキャリアでの自己完結型サブフレームにおける一つ目のシンボルはより長い長さを有するように、第１サブキャリアでの自己完結型サブフレームにおけるシンボルの長さを調整すし、前記第１送受信機が調整された第１サブキャリアでの自己完結型サブフレームにおけるシンボルの長さを前記ユーザ機器に通知するように、操作を実行するように配置されている。前記ユーザ機器は、第２送受信機と、１つ又は複数の第２処理回路を含む。前記第２処理回路は、前記第２送受信機により前記基地局からの下りシグナリングを取得し、前記下りシグナリングから、調整された第１サブキャリアでの自己完結型サブフレームにおけるシンボルの長さを取得する、操作を実行するように配置されている。
【００１０】
本開示の他の局面によれば、無線通信システムにおける無線通信用の方法を提供している。前記方法は、第２サブキャリアでの自己完結型サブフレームの１つの伝送時間間隔ＴＴＩにおいて、前記第２サブキャリアでの自己完結型サブフレームにおける下りシンボル及び上りシンボルのうち各シンボルの境界は、調整された第１サブキャリアでの自己完結型サブフレームにおけるシンボルの境界に揃え、調整された第１サブキャリアでの自己完結型サブフレームにおける調整されていない他のシンボルに比べて、調整された第１サブキャリアでの自己完結型サブフレームにおける一つ目のシンボルはより長い長さを有するように、第１サブキャリアでの自己完結型サブフレームにおけるシンボルの長さを調整することを含む。
【００１１】
本開示の他の局面によれば、無線通信システムにおける無線通信用の方法を提供している。当該方法は、無線通信システムにおける基地局からの下りシグナリングを取得し、前記下りシグナリングから、調整された第１サブキャリアでの自己完結型サブフレームにおけるシンボルの長さを取得することを含み、第２サブキャリアでの自己完結型サブフレームの１つの伝送時間間隔ＴＴＩにおいて、前記第２サブキャリアでの自己完結型サブフレームにおける下りシンボル及び上りシンボルのうち各シンボルの境界は、調整された第１サブキャリアでの自己完結型サブフレームにおけるシンボルの境界に揃え、調整された第１サブキャリアでの自己完結型サブフレームにおける調整されていない他のシンボルに比べて、調整された第１サブキャリアでの自己完結型サブフレームにおける一つ目のシンボルはより長い長さを有する。
【００１２】
本開示に係る無線通信システムにおける電子機器及び無線通信システムにおける無線通信用の方法を使用して、第１サブキャリアでの自己完結型サブフレームにおけるシンボルの長さを調整できることにより、第１サブキャリアと第２サブキャリアの間のシンボル揃えを実現することができるとともに、調整された第１サブキャリアでの自己完結型サブフレームにおける一つ目のシンボルはより長い長さを有することが維持される。このように、異なるサブキャリア間隔の間の干渉を回避または低減することができる。
【００１３】
ここでの記述から、更なる適用分野はより明確になる。この概要における記述及び特定例は、ただ例示するものであり、本開示の範囲を限定することを意図するものではない。
【図面の簡単な説明】
【００１４】
ここに記述している図面は、選択された実施例を例示するものであり、すべての可能な実施形態ではなく、本開示の範囲を限定することを意図するものではない。図面において、
【図１】ＮＲ自己完結型サブフレーム構造を示す模式図である。
【図２】異なるサブキャリア間隔の物理リソースブロックを示す模式図である。
【図３】調整されていない異なるサブキャリア間隔でのシンボルが揃えていないことを示す模式図である。
【図４】調整された異なるサブキャリア間隔でのシンボルが揃えていることを示す模式図である。
【図５】本開示の実施例による、無線通信システムにおける電子機器の構成を示すブロック図である。
【図６】調整された異なるサブキャリア間隔でのシンボルが揃えていることを示す模式図である。
【図７】調整された異なるサブキャリア間隔でのシンボルが揃えていることを示す模式図である。
【図８】調整されていない異なるサブキャリア間隔でのシンボルが揃えていないことを示す模式図である。
【図９】調整された異なるサブキャリア間隔でのシンボルが揃えていることを示す模式図である。
【図１０】本開示に適したｅＮＢ（ｅｖｏｌｕｔｉｏｎ  Ｎｏｄｅ  Ｂａｓｅ  Ｓｔａｔｉｏｎ，進化ノード基地局）の概略的配置の第１例を示すブロック図である。
【図１１】本開示に適したｅＮＢの概略的配置の第２例を示すブロック図である。
【図１２】本開示に適したスマートフォンの概略的配置の例を示すブロック図である。
【図１３】本開示に適したカーナビゲーションデバイスの概略的配置の例を示すブロック図である。
【００１５】
本開示は容易に様々な修正及び置換形式に供するが、その特定の実施例は既に例として図面に示され、ここで詳細に記述する。しかしながら、ここで特定の実施例に対する記述は本開示を開示される具体的な形式に限定するものではなく、逆に、本開示の目的は本開示の精神と範囲に入る全ての修正、等価、置換をカバーすることであることが理解される。それに、幾つかの図面にわたって、相応する符号が相応する部品を示す。
【発明を実施するための形態】
【００１６】
以下、図面に基づいて、本開示の例をより十分に記述している。以下の記述は、事実上例示的なものに過ぎず、本開示、応用又は用途を限定することを意図するものではない。
【００１７】
本開示を明らかになるために、例示実施例を提供し、そして、当業者にその範囲を十分に伝える。多くの特定の細部、例えば、特定の部品、装置及び方法の例を述べて、本開示の実施例の詳しい理解を提供する。当業者にとって、特定の細部を使用する必要がなく、例示実施例は多い異なる形態にて実施され、それらはいずれも本開示の範囲を限定すると理解されるべきではない明らかであろう。幾つかの例示実施例において、よく知られるプロセス、構成及び技術を詳しく記述しない。
【００１８】
本開示に係るＵＥ（Ｕｓｅｒ  Ｅｑｕｉｐｍｅｎｔ，ユーザ機器）は、携帯端末、コンピュータ、車載機器等の、無線通信特にセルラー通信機能を持つ端末を含むが、これに限定されない。さらに、本開示に係るＵＥは、チップなどの、最終製品における主要部品であってもよい。なお、本開示に係る基地局は、例えば、チップなどの、ｅＮＢ（ｅｖｏｌｕｔｉｏｎ  Ｎｏｄｅ  Ｂａｓｅ  Ｓｔａｔｉｏｎ，進化ノード基地局）、ｇＮＢ或いはｅＮＢ、ｇＮＢにおける部品であってもよい。
【００１９】
図１に示すように、１つのＴＴＩ（Ｔｒａｎｓｍｉｓｓｉｏｎ  Ｔｉｍｅ  Ｉｎｔｅｒｖａｌ，伝送時間間隔）に、５Ｇ  ＮＲ（Ｎｅｗ  Ｒａｄｉｏ，新しい無線）によって導入された自己完結型の（ｓｅｌｆ−ｃｏｎｔａｉｎｅｄ）サブフレームは、下り部分、保護間隔及び上り部分の３つの部分を含んでいる。
【００２０】
図１に、ＮＲ自己完結型サブフレーム構造を示す。ＬＴＥ（Ｌｏｎｇ  Ｔｅｒｍ  Ｅｖｏｌｕｔｉｏｎ，長期進化）におけるＦＤＤ（Ｆｒｅｑｕｅｎｃｙ  Ｄｉｖｉｓｉｏｎ  Ｄｕｐｌｅｘｉｎｇ，周波数分割複信）（１０ｍｓの後の上りフィードバック）、ＴＤＤ（Ｔｉｍｅ  Ｄｉｖｉｓｉｏｎ  Ｄｕｐｌｅｘｉｎｇ，時分割複信）（特定の上りサブフレームフィードバック）のサブフレーム構造設計モデルと異なり、５Ｇ  ＮＲ自己完結型サブフレームの特点は、超低フィードバック遅延の要件を満たすように、同一サブフレームの上り部分がこのサブフレーム内の下り部分をフィードバックできることにある。
【００２１】
例えば、下り部分は下りリンク制御情報、下りリンクデータ伝送及び／又は基準信号を含み、上り部分は上りリンク制御情報、上りリンクデータ伝送及び／又は基準信号を含んでもいい。保護間隔は下り部分と上り部分の間にあることで、下り部分と上り部分の間に干渉が生じることを防止する。
【００２２】
通信ネットワーク環境の異質性が継続的に高まるに伴い、５Ｇの新しい通信システムニーズには、設定可能なエアーインタフェースと自由のＴＴＩ長さを備える必要がある。上記のような自己完結型サブフレーム構造及び次に説明する異なるサブキャリア間隔（ｓｕｂｃａｒｒｉｅｒ  ｓｐａｃｉｎｇ）は、そのニーズに対して設計されたものである。
【００２３】
図２に、異なるサブキャリア間隔での物理リソースブロックの例を示す。図２に示すように、左側に１５ｋＨｚのサブキャリア間隔での物理リソースブロックを示し、右側に３０ｋＨｚのサブキャリア間隔での物理リソースブロックを示す。異なるサブキャリア間隔でのシンボル揃えは、例えば、１５ｋＨｚのシナリオに準拠して、サブキャリア間隔Ｆｓ＝１５ｋＨｚ＊２ｎを満たす（ｎは正の整数又は負の整数）。ただし、１５ｋＨｚのサブキャリア間隔での１つのシンボル（ＣＰ（Ｃｙｃｌｉｃ  Ｐｒｅｆｉｘ，サイクリックプレフィックス）を含む）の長さは、２ｎ個の他のサブキャリア間隔での対応するシンボルの長さの和に相当する。
【００２４】
表１に、異なるサブキャリア間隔での１つのサブフレームに含まれるシンボルの長さの例を示す。
【００２５】
【表１】
2020506562.tif 000003
【００２６】
表１において、ｌはシンボルインデックスを示す。表１に示すように、既存のＬＴＥでは、通常のＣＰの場合、シンボル０のＣＰ長さは５．２１μｓであり、シンボル１〜６のＣＰ長さはいずれも４．６９μｓであり、ＣＰを含まないシンボル長さはいずれも６６．７０μｓである。このように、ＣＰを含むシンボル長さは、シンボル０の７１．９１μｓとシンボル１〜６の７１．３９μｓという２つの長さがある。
【００２７】
既存のＬＴＥと共用するために、５Ｇ  ＮＲシステムにおいて、サブキャリア間隔Ｆｓ＝１５ｋＨｚ場合、シンボル０のＣＰ長さは５．２１μｓであり、シンボル１〜６のＣＰ長さはいずれも４．６９μｓであり、ＣＰを含まないシンボル長さはいずれも６６．７０μｓである。このように、ＣＰを含むシンボル長さも、シンボル０の７１．９１μｓとシンボル１〜６の７１．３９μｓのという２つの長さがある。
【００２８】
さらに、サブキャリア間隔Ｆｓ＝３０ｋＨｚ場合、シンボル０のＣＰ長さは２．６０μｓであり、シンボル１〜６のＣＰ長さはいずれも２．３４μｓであり、ＣＰを含まないシンボル長さはいずれも３３．３５μｓである。このように、ＣＰを含むシンボル長さも、シンボル０の３５．９５μｓとシンボル１〜６の３５．６９μｓのという２つの長さがある。
【００２９】
さらに、サブキャリア間隔Ｆｓ＝６０ｋＨｚ場合、シンボル０のＣＰ長さは１．３０μｓであり、シンボル１〜６のＣＰ長さはいずれも１．１７μｓであり、ＣＰを含まないシンボル長さはいずれも１６．６８μｓである。このように、ＣＰを含むシンボル長さも、シンボル０の１７．９８μｓとシンボル１〜６の１７．８５μｓのという２つの長さがある。
【００３０】
表１にｎ＝０、１及び２の例のみが挙げられたが、ｎは３、４またはそれ以上であってもよい。また、表１は、１つのＴＴＩにおいて１つだけ長いＣＰが含まれる場合である。１つのＴＴＩに複数の長いＣＰが含まれる場合については後述する。
【００３１】
初期状態は揃えていると仮定すると、幾つかのシンボル又はＧＰ（Ｇｕａｒｄ  Ｐｅｒｉｏｄ）が調整されていない場合、通常の揃え状態が図３に示されている。図３は、調整されていない異なるサブキャリア間隔（１５ｋＨｚ、３０ｋＨｚ及び６０ｋＨｚ）でのシンボルが揃えていないことを示す模式図である。
【００３２】
図３における自己完結型サブフレームの下り部分には８つのシンボルを含み、ＧＰ部分には３つのシンボルを含み、上り部分には３つのシンボルを含む。ここに挙げた部分ごとに含まれるシンボルの数は例に過ぎず、本開示はこれに限定されない。又は、図３に示す例では、サブキャリア間隔が１５ｋＨｚであるＴＴＩは１ｍｓである。
【００３３】
長いＣＰを含むシンボル（シンボル０）があるので、システムは、１つのＴＴＩにおいて全てのシンボルの境界が厳密に揃えていることを保証できない。図３に示すように、１５ｋＨｚのサブキャリア間隔での１つのシンボルの長さは、３０ｋＨｚのサブキャリア間隔での２つのシンボル長さの和、又は６０ｋＨｚのサブキャリア間隔での４つのシンボル長さの和よりも大きい。
【００３４】
従って、シンボルが揃えていないことに起因したサブキャリアの間の非直交現象によって生じるシンボル間干渉を回避するための措置を取る必要がある。図３を例として、１５ｋＨｚサブキャリア間隔での自己完結型サブフレームにおける下りシンボルと上りシンボルのうち各シンボルの境界は３０ｋＨｚ及び６０ｋＨｚサブキャリア間隔での自己完結型サブフレームにおけるシンボルの境界に揃えるように措置を取る必要がある。なお、１ｍｓを周期とする揃え配置を使用してもよく、つまり、各１ミリ秒内の揃え方式は同じである。
【００３５】
シンボル境界が厳密に揃えていないことは、主にシンボル０に隣接する１つ又は複数の長さが短いシンボルにより引き起される。従って、制御管理の便宜上、他のシンボルに適応しシンボル境界の厳密な揃えを保証するように、シンボル０の周辺のシンボル長さだけを調整することが考えられる。例えば、図４は、調整された異なるサブキャリア間隔（１５ｋＨｚ、３０ｋＨｚ及び６０ｋＨｚ）でのシンボル揃えを示す模式図である。図４には、実は、シンボルの間の揃え問題について、各サブフレームの長いシンボルをいずれも一つ目のサブフレームの最前部にシフトするようにシンボル０の位置を調整することによって、容易に解決することができる。しかし、各ＴＴＩ内の一つ目のシンボル（シンボル０）に長いＣＰを含むので、多くの制御情報を持ち、そして、長いＣＰは、主にシンボル０をできるだけシンボルの間の干渉要因の影響から保護するので、全体のサブフレーム内のデータ伝送において重要な役割を果たす。
【００３６】
図４に示すように、調整した後、３０ｋＨｚサブキャリア間隔での二つ目のサブフレームにおけるシンボル０には短縮されたＣＰが出て、６０ｋＨｚサブキャリア間隔での二つ目、三つ目、四つ目のサブフレームにおけるシンボル０には、いずれも短縮されたＣＰが出た。これは、望ましくない結果である。
【００３７】
異なるサブキャリア間隔のシナリオでは、異なるシンボルの間の干渉を低減するようにシンボル揃えをより効果的に実現できるために、本開示に係る技術案を提出する。図５は、本開示の実施例による、無線通信システムにおける電子機器５００の構成を示す。
【００３８】
図５に示すように、電子機器５００は処理回路５１０を含む。なお、電子機器５００は、一つの処理回路５１０を含んでもよく、複数の処理回路５１０を含んでもよい。また、電子機器５００は、さらに通信ユニット５２０などを含んでもよい。
【００３９】
さらに、処理回路５１０は、様々な異なる機能及び／又は操作を実行するように、様々な別々の機能ユニットを含んでもよい。なお、これらの機能ユニットは、物理的エンティティ又は論理的エンティティであってもよく、名称が異なるユニットは同一物理的エンティティにより実現されても良い。
【００４０】
例えば、図５に示すように、処理回路５１０は調整ユニット５１１を含んでもよい。
【００４１】
調整ユニット５１１は、第２サブキャリアでの自己完結型サブフレームにおける１つのＴＴＩにおいて、第２サブキャリアでの自己完結型サブフレームにおける下りシンボルと上りシンボルのうち各シンボルの境界が調整された第１サブキャリアでの自己完結型サブフレームにおけるシンボルの境界に揃えて、調整された第１サブキャリアでの自己完結型サブフレームにおける調整されていない他のシンボルに比べて、調整された第１サブキャリアでの自己完結型サブフレームにおける一つ目のシンボルはより長い長さを有するように、第１サブキャリアでの自己完結型サブフレームにおけるシンボルの長さを調整してもよい。
【００４２】
本開示の実施例による、電子機器５００を使用して、第１サブキャリアでの自己完結型サブフレームにおけるシンボルの長さを調整することにより、第１サブキャリアと第２サブキャリアの間のシンボル揃えを実現することができるとともに、調整された第１サブキャリアでの自己完結型サブフレームにおける一つ目のシンボルは、より長い長さを維持する。このように、異なるサブキャリア間隔の間の干渉をより効果的に回避または低減することができる。
【００４３】
本開示の好ましい実施例によれば、調整ユニット５１１は、第１サブキャリアでの自己完結型サブフレームにおけるシンボルのＣＰの長さを延長又は短縮することによって、第１サブキャリアでの自己完結型サブフレームにおけるシンボルの長さを調整することができる。
【００４４】
より好ましくは、調整ユニット５１１は、第１サブキャリアでの自己完結型サブフレームにおける一つ目のシンボルに隣接するシンボルの長さを調整してもよい。
【００４５】
本開示の実施例によれば、調整ユニット５１１は第１サブキャリアでの自己完結型サブフレームにおけるシンボルの長さを調整する前に、第１サブキャリアでの自己完結型サブフレームにおける一つ目のシンボルは第１長さを有し、第１サブキャリアでの自己完結型サブフレームにおける他のシンボルは第２長さを有し、第１長さは第２長さよりも大きい。
【００４６】
図６は、調整された異なるサブキャリア間隔でのシンボル揃えを示す模式図である。次に、図６に合わせて、具体的には、本開示に係る実施例を記述する。
【００４７】
図６に示すように、調整ユニット５１１は３０ｋＨｚ及び６０ｋＨｚサブキャリア間隔で（第１サブキャリアに対応する）の自己完結型サブフレームにおけるシンボルの長さを調整してもよい。調整した後、１５ｋＨｚサブキャリア間隔で（第２サブキャリアに対応する）の自己完結型サブフレームの１つのＴＴＩ（即ち、１ｍｓ）において、１５ｋＨｚサブキャリア間隔での自己完結型サブフレームにおける下りシンボル（即ち、シンボル０からシンボル７）と上りシンボル（即ち、シンボル１１〜シンボル１３）における各シンボルの境界は、調整された３０ｋＨｚ及び６０ｋＨｚサブキャリア間隔での自己完結型サブフレームにおけるシンボルの境界に揃えている。それと同時に、調整された３０ｋＨｚ及び６０ｋＨｚサブキャリア間隔での自己完結型サブフレームにおける調整されていない他のシンボルに比べて、調整された３０ｋＨｚ及び６０ｋＨｚサブキャリア間隔での自己完結型サブフレームにおける一つ目のシンボル（即ち、シンボル０）は、より長い長さを有する。
【００４８】
図３は、図６に対応する、調整されていない異なるサブキャリア間隔（１５ｋＨｚ、３０ｋＨｚ及び６０ｋＨｚ）でのシンボルが揃えていない模式図と見なすことができる。さらに、表１は、図３に対応する、調整されていない異なるサブキャリア間隔（１５ｋＨｚ、３０ｋＨｚ及び６０ｋＨｚ）でのシンボル長さの具体的な実例と見なすことができる。この場合に、調整ユニット５１１は３０ｋＨｚサブキャリア間隔での自己完結型サブフレームにおけるシンボルの長さを調整する前に、３０ｋＨｚサブキャリア間隔での自己完結型サブフレームにおけるシンボル０は第１長さである３５．９５μｓを有し、シンボル１〜シンボル１３のような他のシンボルは第２長さである３５．６９μｓを有し、第１長さは第２長さより大きい。さらに、調整ユニット５１１は６０ｋＨｚサブキャリア間隔での自己完結型サブフレームにおけるシンボルの長さを調整する前に、６０ｋＨｚサブキャリア間隔での自己完結型サブフレームにおけるシンボル０は第１長さである１７．９８μｓを有し、シンボル１〜シンボル１３のような他のシンボルは第２長さである１７．８５μｓを有し、第１長さは第２長さよりも大きい。
【００４９】
図６に示すように、調整ユニット５１１は、３０ｋＨｚ及び６０ｋＨｚサブキャリア間隔での自己完結型サブフレームにおけるシンボルのＣＰの長さを延長又は短縮することによって、３０ｋＨｚ及び６０ｋＨｚサブキャリア間隔での自己完結型サブフレームにおけるシンボルの長さを調整することができる。例えば、調整ユニット５１１３０ｋＨｚ及び６０ｋＨｚサブキャリア間隔での自己完結型サブフレームにおけるシンボル０に隣接するシンボルの長さを調整してもよい。
【００５０】
例えば、３０ｋＨｚサブキャリア間隔で、調整ユニット５１１一つ目のサブフレームにおけるシンボル１の長さを延長し、二つ目のサブフレームにおけるシンボル１の長さを短縮してもよい。表１を参照して、一つ目のサブフレームにおけるシンボル１を約０．２６μｓだけ延長し、二つ目のサブフレームにおけるシンボル１を約０．２６μｓだけを短縮すると、１５ｋＨｚサブキャリア間隔での自己完結型サブフレームにおける下りシンボル（即ち、シンボル０からシンボル７）と上りシンボル（即ち、シンボル１１からシンボル１３）のうち各シンボルの境界は、調整された３０ｋＨｚサブキャリア間隔での自己完結型サブフレームにおけるシンボルの境界に揃えることができる。
【００５１】
６０ｋＨｚサブキャリア間隔で、調整ユニット５１１は、一つ目のサブフレームにおけるシンボル１、シンボル２及びシンボル３の長さを延長し、二つ目のサブフレームにおけるシンボル１の長さを短縮し、三つ目のサブフレームにおけるシンボル１の長さを延長し、三つ目のサブフレームにおけるシンボル２とシンボル３の長さを短縮し、四つ目のサブフレームにおけるシンボル１の長さを短縮してもよい。表１を参照して、シンボルの延長又は短縮された長さは約０．１３μｓであることが分かる。上記のように調整した後、１５ｋＨｚサブキャリア間隔での自己完結型サブフレームにおける下りシンボル（即ち、シンボル０からシンボル７）と上りシンボル（即ち、シンボル１１からシンボル１３）のうち各シンボルの境界は、調整された６０ｋＨｚサブキャリア間隔での自己完結型サブフレームにおけるシンボルの境界に揃えることができる。
【００５２】
以上のように、本開示の技術案によれば、３０ｋＨｚ及び６０ｋＨｚサブキャリア間隔における、幾つかのＴＴＩ内のシンボル０の長さを減少することでシンボル境界が揃えている目的を達成しなくて、シンボル０に隣接するシンボル（３０ｋＨｚサブキャリア調整シンボル１、６０ｋＨｚサブキャリア調整シンボル１〜３）の長さを適切に調整することで、シンボル０が長いことによるシンボル境界が揃えることができない問題を改善する。従って、本開示の技術案によれば、異なるサブキャリア間隔の間の干渉をより効果的に回避または低減することができる。
【００５３】
以上では、１５ｋＨｚ、３０ｋＨｚ及び６０ｋＨｚのサブキャリア間隔だけを例として説明したが、本開示はこれに限定されない。例えば、他の異なるサブキャリア間隔を取ると、本開示の調整ユニット５１１により、第１サブキャリアと第２サブキャリアの間のシンボル揃えを実現し、同時に調整された第１サブキャリアでの自己完結型サブフレームにおける一つ目のシンボルがより長い長さを維持されるように、類似する操作を実行してもよい。
【００５４】
図６において、異なるサブキャリア間隔の場合に、シンボル０に近い１つの（３０ｋＨｚシナリオ）又はいくつかのシンボル（６０ｋＨｚシナリオ）の長さを調整することによって、全てのシンボル境界が揃え、各ＴＴＩではシンボル０のＣＰ長さが他のシンボルのＣＰより長いことを保証することを満たすことができる。異なるサブキャリア間隔のシナリオでは、長さを調整すべきシンボルの数は、（２ｎ−１）を導き出すことができる。ただし、ｎはＦｓ＝１５ｋＨｚ＊２ｎを満たす。このような揃え方式は、本開示に係る電子機器のスケジューリングタイミングに対してより高い要求を有し、より細かいスケジューリング戦略を配置することを必要とする。
【００５５】
本開示の好ましい実施例によれば、調整ユニット５１１は、第１サブキャリアでの自己完結型サブフレームにおける二つ目のシンボルの長さのみを調整し、さらに第１サブキャリアでの自己完結型サブフレームに保護間隔を挿入してもよい。ここで、挿入された保護間隔は、概念的には上記した下り部分と上り部分の間にある保護間隔と異なる。
【００５６】
図７は、本開示の他の一実施例による、調整された異なるサブキャリア間隔でのシンボル揃えを示す模式図である。次に、図７と合わせて、具体的には、本開示に係る他の一実施例を記述する。
【００５７】
図７に示すように、調整ユニット５１１は、境界が揃えている目的を達成するように、３０ｋＨｚ及び６０ｋＨｚサブキャリア間隔での自己完結型サブフレームにおけるシンボル１の長さのみを調整し、さらに３０ｋＨｚ及び６０ｋＨｚサブキャリア間隔での自己完結型サブフレームに保護間隔を挿入してもよい。
【００５８】
例えば、３０ｋＨｚサブキャリア間隔で、調整ユニット５１１は、一つ目のサブフレームにおけるシンボル１の後に保護間隔を挿入し、二つ目のサブフレームにおけるシンボル１の長さを短縮してもよい。表１を参照して、一つ目のサブフレームにおけるシンボル１の後に約０．２６μｓの保護間隔を挿入し、二つ目のサブフレームにおけるシンボル１を約０．２６μｓだけを短縮すると、１５ｋＨｚサブキャリア間隔での自己完結型サブフレームにおける下りシンボル（即ち、シンボル０からシンボル７）と上りシンボル（即ち、シンボル１１からシンボル１３）のうち各シンボルの境界は、調整された３０ｋＨｚサブキャリア間隔での自己完結型サブフレームにおけるシンボルの境界に揃えることができる。
【００５９】
６０ｋＨｚサブキャリア間隔で、調整ユニット５１１は、一つ目と三つ目のサブフレームにおけるシンボル１の後に保護間隔を挿入し、二つ目と四つ目のサブフレームにおけるシンボル１の長さを短縮してもよい。表１を参照して、一つ目のサブフレームにおけるシンボル１の後に挿入した保護間隔の長さは約０．３８μｓであり、三つ目のサブフレームにおけるシンボル１の後に挿入した保護間隔の長さは約１７．７１μｓであり、三つ目のサブフレームにおけるシンボル２が挿入した保護間隔に置き換えられることが分かる。さらに、二つ目と四つ目のサブフレームにおけるシンボル１の短縮された長さは、約０．１４μｓであることが分かる。上記のように調整した後、１５ｋＨｚサブキャリア間隔での自己完結型サブフレームにおける下りシンボル（即ち、シンボル０からシンボル７）と上りシンボル（即ち、シンボル１１からシンボル１３）のうち各シンボルの境界は、調整された６０ｋＨｚサブキャリア間隔での自己完結型サブフレームにおけるシンボルの境界に揃えることができる。
【００６０】
サブキャリア間隔が大きいシナリオでは、以上の調整方式は、多くのシンボルに対して長さを調整しなくて、ある位置に短い保護間隔ＧＰを挿入し少数のシンボル１に対して長さを調整することで、シンボル境界を揃えている目的を達成する。保護間隔を一時的に挿入するので、挿入されたＧＰ長さはいずれも１つの標準シンボルの長さより短い。同様に異なるサブキャリア間隔でのシンボル揃えを調整することでは、挿入した保護間隔は干渉が生じる可能性があるシンボルを保護するので、多くのシンボル長さを調整するのに必要な時間とスケジューリングによるコストが効果的に低減される。
【００６１】
以上に、１つのＴＴＩにおいて長いＣＰを１つだけ含む場合を記述した。次に、１つのＴＴＩにおいて２つの長いＣＰを含む場合について記述する。
【００６２】
ＬＴＥの正方向互換性をより良く提供するために、１つのＴＴＩにおいて２つの長いＣＰを含むシンボルのシナリオ、つまり、既存のＬＴＥの特別のサブフレームの構成を考慮する必要がある。表２は、このシナリオでは異なるサブキャリア間隔での１つのサブフレームに含まれるシンボルの長さの例を示す。
【００６３】
【表２】
2020506562.tif 000004
【００６４】
表２には、ｌはシンボルインデックスを示す。表２に示すように，既存のＬＴＥにおいて、通常のＣＰの場合、シンボル０のＣＰ長さは５．２１μｓであり、シンボル１〜６のＣＰ長さはいずれも４．６９μｓであり、ＣＰを含まないシンボル長さはいずれも６６．６７μｓである。このように、ＣＰを含むシンボル長さは、シンボル０の７１．８８μｓとシンボル１〜６の７１．３５μｓのという２つの長さがある。
【００６５】
既存のＬＴＥと共用するためには、５Ｇ  ＮＲシステムでは、サブキャリア間隔Ｆｓ＝１５ｋＨｚ場合、シンボル０のＣＰ長さは５．２１μｓであり、シンボル１〜６のＣＰ長さはいずれも４．６９μｓであり、ＣＰを含まないシンボル長さはいずれも６６．６７μｓである。このように、ＣＰを含む的シンボル長さも、シンボル０の７１．８８μｓとシンボル１〜６の７１．３５μｓのという２つの長さがある。
【００６６】
さらに、サブキャリア間隔Ｆｓ＝３０ｋＨｚ場合、シンボル０のＣＰ長さは２．６０μｓであり、シンボル１〜６のＣＰ長さはいずれも２．３４μｓであり、ＣＰを含まないシンボル長さはいずれも３３．３３μｓである。このように、ＣＰを含むシンボル長さも、シンボル０の３５．９４μｓとシンボル１〜６の３５．６８μｓのという２つの長さがある。
【００６７】
さらに、サブキャリア間隔Ｆｓ＝６０ｋＨｚ場合、シンボル０のＣＰ長さは１．３０μｓであり、シンボル１〜６のＣＰ長さはいずれも１．１７μｓであり、ＣＰを含まないシンボル長さはいずれも１６．６７μｓである。このように、ＣＰを含むシンボル長さも、シンボル０の１７．９７μｓとシンボル１〜６の１７．８４μｓのという２つの長さがある。
【００６８】
表２にｎ＝０、１及び２の例のみが挙げられたが、ｎは３、４またはそれ以上であってもよい。
【００６９】
なお、一つ目の、長いＣＰを含むシンボルはシンボル０であり、二つ目の長いＣＰは保護間隔ＧＰ（ＧＰは１つのシンボルしか占用しないと、そのシンボルは長いＣＰを含むシンボルであり、ＧＰは複数のシンボルを占用すると、その中に長いＣＰを含む１つのシンボルがなければならない）に存在する。長いＣＰがあるシンボルを含むので、ＧＰ長さは通常のシンボル長さの整数倍ではない。従って、図３に示す１つのＴＴＩにおいて１つの長いＣＰを含むシンボルのシナリオに比べて、１ｍｓに厳密に揃えることができないシンボルの数が大幅に増加する。
【００７０】
初期状態が揃えていると仮定すると、あるシンボル又はＧＰが調整されていない場合、通常の揃え状態は図８に示す。図８は、１つのＴＴＩにおいて２つの長いＣＰを含むシンボルのシナリオでは、調整されていない異なるサブキャリア間隔（１５ｋＨｚ、３０ｋＨｚ及び６０ｋＨｚ）でのシンボルが揃えていない模式図である。
【００７１】
本開示の実施例によれば、調整ユニット５１１は第１サブキャリアでの自己完結型サブフレームにおけるシンボルの長さを調整する前に、第１サブキャリアでの自己完結型サブフレームにおける一つ目のシンボルと保護間隔における１つのシンボルは第１長さを有し、第１サブキャリアでの自己完結型サブフレームにおける他のシンボルは第２長さを有し、第１長さは第２長さより大きい。
【００７２】
本開示の実施例によれば、調整ユニット５１１は、境界が揃えている目的を達成するように、第１サブキャリアでの自己完結型サブフレームにおける一つ目のシンボルに隣接するシンボルの長さを調整し、さらに第１サブキャリアでの自己完結型サブフレームに保護間隔を挿入し、さらに第１サブキャリアでの自己完結型サブフレームにおける保護間隔の長さを調整してもよい。
【００７３】
図９は、１つのＴＴＩにおいて２つの長いＣＰを含むシンボルのシナリオでは、調整された異なるサブキャリア間隔でのシンボル揃えを示す模式図である。次に、図９と合わせて、具体的には、本開示に係る実施例を記述する。
【００７４】
図８は、図９に対応する、調整されていない異なるサブキャリア間隔（１５ｋＨｚ、３０ｋＨｚ及び６０ｋＨｚ）でのシンボルが揃えていない模式図と見なすことができる。さらに、表２は、図８に対応する、調整されていない異なるサブキャリア間隔（１５ｋＨｚ、３０ｋＨｚ及び６０ｋＨｚ）でのシンボル長さの具体的な実例と見なすことができる。この場合に、調整ユニット５１１は３０ｋＨｚサブキャリア間隔での自己完結型サブフレームにおけるシンボルの長さを調整する前に、３０ｋＨｚサブキャリア間隔での自己完結型サブフレームにおけるシンボル０と保護間隔の一つのシンボルは第１長さである３５．９４μｓを有し、他のシンボルは第２長さである３５．６８μｓを有し、第１長さは第２長さより大きい。さらに、調整ユニット５１１は６０ｋＨｚサブキャリア間隔での自己完結型サブフレームにおけるシンボルの長さを調整する前に、６０ｋＨｚサブキャリア間隔での自己完結型サブフレームにおけるシンボル０と保護間隔の一つのシンボルは第１長さである１７．９７μｓを有し、他のシンボルは第２長さである１７．８４μｓを有し、第１長さは第２長さより大きい。
【００７５】
図９に示すように、調整ユニット５１１は、３０ｋＨｚ及び６０ｋＨｚサブキャリア間隔で（第１サブキャリアに対応する）の自己完結型サブフレームにおける一つ目のシンボル（即ち、シンボル０）に隣接するシンボルの長さを調整し、さらに３０ｋＨｚ及び６０ｋＨｚサブキャリア間隔での自己完結型サブフレームに保護間隔を挿入し、さらに３０ｋＨｚ及び６０ｋＨｚサブキャリア間隔での自己完結型サブフレームにおける保護間隔の長さを調整してもよい。調整した後、１５ｋＨｚサブキャリア間隔で（第２サブキャリアに対応する）の自己完結型サブフレームの１つのＴＴＩ（即ち、１ｍｓ）において、１５ｋＨｚサブキャリア間隔での自己完結型サブフレームにおける下りシンボル（即ち、シンボル０からシンボル７）と上りシンボル（即ち、シンボル１１〜シンボル１３）における各シンボルの境界は、調整された３０ｋＨｚ及び６０ｋＨｚサブキャリア間隔での自己完結型サブフレームにおけるシンボルの境界に揃えている。それと同時に、調整された３０ｋＨｚ及び６０ｋＨｚサブキャリア間隔での自己完結型サブフレームにおける調整されていない他のシンボルに比べて、調整された３０ｋＨｚ及び６０ｋＨｚサブキャリア間隔での自己完結型サブフレームにおける一つ目のシンボル（即ち、シンボル０）はより長い長さを有する。
【００７６】
例えば、３０ｋＨｚサブキャリア間隔で、調整ユニット５１１は、一つ目のサブフレームにおけるシンボル１の後に保護間隔を挿入し、二つ目のサブフレームにおけるシンボル１の長さを短縮し、保護間隔ＧＰの長さを延長又は短縮してもよい。表２を参照して、一つ目のサブフレームにおけるシンボル１の後に挿入した保護間隔の長さは約０．２６μｓであり、二つ目のサブフレームにおけるシンボル１の長さは約０．２６μｓだけを短縮されて、一つ目のサブフレームにおけるＧＰは約０．２６μｓを短縮されて、二つ目のサブフレームにおけるＧＰは約０．２６μｓだけを延長されたことが分かる。上記のように調整した後、１５ｋＨｚサブキャリア間隔での自己完結型サブフレームにおける下りシンボル（即ち、シンボル０からシンボル７）と上りシンボル（即ち、シンボル１１からシンボル１３）のうち各シンボルの境界は、調整された３０ｋＨｚサブキャリア間隔での自己完結型サブフレームにおけるシンボルの境界に揃えることができる。
【００７７】
６０ｋＨｚサブキャリア間隔で、調整ユニット５１１は、一つ目と三つ目のサブフレームにおけるシンボル１の後に保護間隔を挿入し、二つ目のサブフレームにおけるシンボル１の長さを短縮し、保護間隔ＧＰの長さを延長又は短縮してもよい。表２を参照して、一つ目のサブフレームにおけるシンボル１の後に挿入した保護間隔の長さは約０．３９μｓであり、三つ目のサブフレームにおけるシンボル１の後に挿入した保護間隔の長さは約１７．７μｓであり、三つ目のサブフレームにおけるシンボル２は挿入した保護間隔に置き換えられることが分かる。さらに、二つ目のサブフレームにおけるシンボル１の短縮された長さは、約０．１４μｓであることが分かる。さらに、一つ目のサブフレームにおけるＧＰは約０．１４μｓだけを短縮されて、二つ目のサブフレームにおけるＧＰは約０．１４μｓだけを短縮されて、三つ目のサブフレームにおけるＧＰは約０．２４μｓだけを延長されて、四つ目のサブフレームにおけるＧＰは約０．１４μｓだけを短縮されることが分かる。上記のように調整した後、１５ｋＨｚサブキャリア間隔での自己完結型サブフレームにおける下りシンボル（即ち、シンボル０からシンボル７）と上りシンボル（即ち、シンボル１１からシンボル１３）のうち各シンボルの境界は調整された６０ｋＨｚサブキャリア間隔での自己完結型サブフレームにおけるシンボルの境界に揃えることができる。
【００７８】
以上のように、データ伝送する下り又は上りシンボルの長さをできるだけ少なく変更してシンボルを揃えする技術的思想に基づいて、１つのＴＴＩにおいて２つの長いＣＰを含むシンボルのシナリオでは、シンボル１の長さを変更し短いＧＰを挿入し既存のＧＰの長さを調整する総合方法によって、厳密なシンボル揃えを実現してもよい。３０ｋＨｚ及び６０ｋＨｚのサブキャリア間隔のシナリオでは、元のＧＰの長さを適切に延長又は短縮する必要がある。また、ＧＰ長さが調整されたので、ＧＰ内のシンボル長さは１つ又はいくつかの標準シンボル長さの和ではない。そして、ある長さが調整されたＧＰに長いＣＰを含むシンボルがなく、例えば、３０ｋＨｚサブキャリア間隔での一つ目のサブフレームにおけるＧＰにおいて３つの標準長さのシンボルだけを含む。本質的には、ＧＰ調整した１つのＴＴＩにおいて２つの長いシンボルを含むことを保証できない。ＧＰ内のシンボル長さは実際のデータ伝送を影響しないので、このようなシンボル揃え方式は実現できる。そして、伝送データのシンボルの長さを調整することに比べて、ＧＰを適切に調整することはシステム実現の複雑さが大幅に軽減される。
【００７９】
本開示の実施例によれば、調整ユニット５１１は、無許可バンド又は許可バンドで上記のような操作を実行してもよい。
【００８０】
さらに、以上からように、本開示の実施例によれば、第１サブキャリアでの自己完結型サブフレームと第２サブキャリアでの自己完結型サブフレームは同一構成を有してもよい。例えば、それらは同一シンボル数を含んでもよく、一つ目のシンボルの長さは他のシンボルの長さより大きい。
【００８１】
さらに、以上からように、本開示の実施例によれば、第１サブキャリアでの自己完結型サブフレームと第２サブキャリアでの自己完結型サブフレームは、下り部分、上り部分及び下り部分と上り部分の間にある保護間隔を含んでもよい。
【００８２】
また、本開示の実施例によれば、下り部分と上り部分におけるシンボルは、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ，直交周波数分割多重）シンボルであってもよい。
【００８３】
また、以上からように、本開示の実施例によれば、第１サブキャリアのサブキャリア間隔は、第２サブキャリアのサブキャリア間隔の２ｎ倍であり、ただし、ｎは非零整数であり、第２サブキャリアでの自己完結型サブフレームにおける下りシンボルと上りシンボルのうち各シンボルの境界が、調整された第１サブキャリアでの自己完結型サブフレームにおける２ｎ個のシンボルの境界を揃えている。
【００８４】
なお、本開示の実施例によれば、上記のような無線通信システムは５Ｇ  ＮＲシステムであってもよく、電子機器５００は基地局とユーザ機器の一方であり、電子機器５００は、例えば、送受信機のような通信ユニット５２０を含んでもよい。通信ユニット５２０は、基地局とユーザ機器の他方と無線通信してもよい。
【００８５】
電子機器５００は基地局である場合、本開示は電子機器５００に対応するユーザ機器を提供してもいい。
【００８６】
本開示の実施例によれば、ユーザ機器は処理回路を含んでもよい。なお、ユーザ機器は１つの処理回路を含んでもよく、複数の処理回路を含んでもよい。また、ユーザ機器は、例えば、さらに送受信機のような通信ユニット等を含んでもよい。
【００８７】
以上に記述するように、同様に、処理回路は、様々な異なる機能及び／又は操作を実行するように、様々な別々の機能ユニットを含んでもよい。これらの機能ユニットは、物理的エンティティ又は論理的エンティティであってもよく、名称が異なるユニットは同一物理的エンティティにより実現されてもよい。
【００８８】
例えば、処理回路における第１取得ユニットは、無線通信システムにおける基地局からの下りシグナリングを取得してもよい。
【００８９】
さらに、処理回路における第２取得ユニットは、下りシグナリングから調整された第１サブキャリアでの自己完結型サブフレームにおけるシンボルの長さを取得してもよい。第２サブキャリアでの自己完結型サブフレームの１つのＴＴＩにおいて、第２サブキャリアでの自己完結型サブフレームにおける下りシンボルと上りシンボルのうち各シンボルの境界が調整された第１サブキャリアでの自己完結型サブフレームにおけるシンボルの境界に揃え、調整された第１サブキャリアでの自己完結型サブフレームにおける調整されていない他のシンボルに比べて、調整された第１サブキャリアでの自己完結型サブフレームにおける一つ目のシンボルはより長い長さを有する。
【００９０】
それに対して、本開示は、基地局とユーザ機器を含む無線通信システムを提供してもよい。基地局は、第１送受信機と、１つ又は複数の第１処理回路とを含んでもよい。前記第１処理回路は、第２サブキャリアでの自己完結型サブフレームの１つのＴＴＩにおいて、第２サブキャリアでの自己完結型サブフレームにおける下りシンボルと上りシンボルのうち各シンボルの境界が調整された第１サブキャリアでの自己完結型サブフレームにおけるシンボルの境界に揃え、調整された第１サブキャリアでの自己完結型サブフレームにおける調整されていない他のシンボルに比べて、調整された第１サブキャリアでの自己完結型サブフレームにおける一つ目のシンボルはより長い長さを有するように、第１サブキャリアでの自己完結型サブフレームにおけるシンボルの長さを調整し、第１送受信機が調整された第１サブキャリアでの自己完結型サブフレームにおけるシンボルの長さをユーザ機器に通知するように、操作を実行するように、配置されている。ユーザ機器は、第２送受信機と、１つ又は複数の第２処理回路とを含んでもよい。前記第２処理回路は、第２送受信機によって基地局からの下りシグナリングを取得し、下りシグナリングから調整された第１サブキャリアでの自己完結型サブフレームにおけるシンボルの長さを取得するように配置されている。
【００９１】
図面と合わせて、本開示の実施例による、無線通信システムにおける電子機器を概括的に記述している。次に、本開示の実施例による、無線通信システムにおける無線通信用の方法を記述する。
【００９２】
本開示の実施例による、無線通信システムにおける無線通信用の方法は、次のステップを含んでもよい。即ち、第２サブキャリアでの自己完結型サブフレームの１つのＴＴＩにおいて、第２サブキャリアでの自己完結型サブフレームにおける下りシンボルと上りシンボルのうち各シンボルの境界が調整された第１サブキャリアでの自己完結型サブフレームにおけるシンボルの境界に揃え、調整された第１サブキャリアでの自己完結型サブフレームにおける調整されていない他のシンボルに比べて、調整された第１サブキャリアでの自己完結型サブフレームにおける一つ目のシンボルはより長い長さを有するように、第１サブキャリアでの自己完結型サブフレームにおけるシンボルの長さを調整する。
【００９３】
好ましくは、当該方法は、第１サブキャリアでの自己完結型サブフレームにおけるシンボルのＣＰの長さを延長又は短縮することによって、第１サブキャリアでの自己完結型サブフレームにおけるシンボルの長さを調整してもよい。
【００９４】
好ましくは、当該方法は、第１サブキャリアでの自己完結型サブフレームにおける、一つ目のシンボルに隣接するシンボルの長さを調整してもよい。
【００９５】
好ましくは、第１サブキャリアでの自己完結型サブフレームにおけるシンボルの長さを調整する前に、第１サブキャリアでの自己完結型サブフレームにおける一つ目のシンボルは第１長さを有し、第１サブキャリアでの自己完結型サブフレームにおける他のシンボルは第２長さを有し、第１長さは第２長さより大きい。
【００９６】
好ましくは、当該方法は、第１サブキャリアでの自己完結型サブフレームにおける二つ目のシンボルの長さだけを調整し、さらに第１サブキャリアでの自己完結型サブフレームに保護間隔を挿入してもよい。
【００９７】
好ましくは、第１サブキャリアでの自己完結型サブフレームにおけるシンボルの長さを調整する前に、第１サブキャリアでの自己完結型サブフレームにおける一つ目のシンボルと保護間隔における１つのシンボルは第１長さを有し、第１サブキャリアでの自己完結型サブフレームにおける他のシンボルは第２長さを有し、第１長さは第２長さより大きい。
【００９８】
好ましくは、当該方法は、第１サブキャリアでの自己完結型サブフレームにおける、一つ目のシンボルに隣接するシンボルの長さを調整し、さらに第１サブキャリアでの自己完結型サブフレームに保護間隔を挿入し、さらに第１サブキャリアでの自己完結型サブフレームにおける保護間隔の長さを調整してもよい。
【００９９】
好ましくは、当該方法は、無許可バンド又は許可バンドで上記操作を実行してもよい。
【０１００】
好ましくは、第１サブキャリアでの自己完結型サブフレームと第２サブキャリアでの自己完結型サブフレームは同一構成を有してもよい。
【０１０１】
好ましくは、第１サブキャリアでの自己完結型サブフレームと第２サブキャリアでの自己完結型サブフレームは、下り部分、上り部分及び下り部分と上り部分の間にある保護間隔を含んでもよい。
【０１０２】
好ましくは、下り部分と上り部分におけるシンボルは、ＯＦＤＭシンボルであってもよい。
【０１０３】
好ましくは、第１サブキャリアのサブキャリア間隔は、第２サブキャリアのサブキャリア間隔の２ｎ倍であってもよく、ただし、ｎは自然数であり、第２サブキャリアでの自己完結型サブフレームにおける下りシンボルと上りシンボルのうち各シンボルの境界が調整された第１サブキャリアでの自己完結型サブフレームにおける２ｎ個のシンボルの境界に揃えている。
【０１０４】
一方で、本開示の他の一実施例による、無線通信システムにおける無線通信用の方法は、無線通信システムにおける基地局からの下りシグナリングを取得し、下りシグナリングから調整された第１サブキャリアでの自己完結型サブフレームにおけるシンボルの長さを取得することを含み、第２サブキャリアでの自己完結型サブフレームの１つのＴＴＩにおいて、第２サブキャリアでの自己完結型サブフレームにおける下りシンボルと上りシンボルのうち各シンボルの境界が調整された第１サブキャリアでの自己完結型サブフレームにおけるシンボルの境界に揃え、調整された第１サブキャリアでの自己完結型サブフレームにおける調整されていない他のシンボルに比べて、調整された第１サブキャリアでの自己完結型サブフレームにおける一つ目のシンボルはより長い長さを有してもよい。
【０１０５】
本開示の実施例による、無線通信システムにおける無線通信用の方法の上記各ステップの様々な具体的な実施形態について、先に詳しく記述したので、ここでその説明は省略する。
【０１０６】
本開示に係る無線通信システムにおける電子機器、及び無線通信システムにおける無線通信用の方法は、許可バンドに用いられてもよく、無許可バンドに用いられてもよい。好ましくは、５Ｇ  ＮＲ通信システムアーキテクチャでの許可バンド及び／又は補助または独立したアクセスの無許可バンドに適用される。
【０１０７】
本開示の技術は各種の製品に応用できる。例えば、本開示に記述している基地局は、例えば、ＮＲ通信システムに提出したｇＮＢ又は進化型ノードＢ（ｅＮＢ）、マクロｅＮＢ及びスモールｅＮＢのような任意のタイプの基地局として実現されてもよい。スモールｅＮＢはマクロセルよりも小さいセルをカバーするｅＮＢ、例えばピコｅＮＢ、マイクロｅＮＢ、ホーム（フェムト）ｅＮＢであってもよい。代わりに、基地局は、任意の他のタイプの基地局、例えばＮｏｄｅＢとベーストランシーバ基地局（ＢＴＳ）として実現されてもよい。基地局は、無線通信を制御するように配置される本体（基地局デバイスとも称する）と、本体と異なる箇所に設置された一つ又は複数のリモート無線ヘッド（ＲＲＨ）とを含んでもよい。また、以下記述する各種のタイプの端末は、基地局機能を一時又は半恒久的に実行することにより基地局として作動する。
【０１０８】
例えば、本開示に記述しているＵＥは、移動端末（例えばスマートフォン、タブレットパーソナルコンピュータ（ＰＣ）、ノートＰＣ、携帯型ゲーム端末、携帯型／ウオッチドッグ型移動ルータとデジタル撮像装置）又は車載端末（例えばカーナビゲーションデバイス）として実現されてもよい。ＵＥは、マシンツーマシン（Ｍ２Ｍ）通信を実行する端末（マシン型通信（ＭＴＣ）端末とも称する）として実現されてもよい。また、ＵＥは、上記端末における端末ごとに取り付けられた無線通信モジュール（例えば一つのチップを含む集積回路モジュール）であってもよい。
【０１０９】
図１０は、本開示の技術を応用できるｅＮＢの概略的配置の第１例を示すブロック図である。ｅＮＢ  １０００は、一つ又は複数のアンテナ１０１０及び基地局デバイス１０２０を含む。基地局デバイス１０２０と各アンテナ１０１０は、ＲＦケーブルを介して互いに接続されてもよい。
【０１１０】
アンテナ１０１０の各々は、単一の又は複数のアンテナ素子（例えば、多入力多出力（ＭＩＭＯ）アンテナに含まれる複数のアンテナ素子）を含み、基地局デバイス１０２０による無線信号の送受信のために用いられる。ｅＮＢ１０００は、図１０に示したように、複数のアンテナ１０１０を含んでもよい。例えば、複数のアンテナ１０１０は、ｅＮＢ１０００の使用する複数の周波数帯域と共用してもよい。なお、図１０にはｅＮＢ１０００が複数のアンテナ１０１０を含む例を示したが、ｅＮＢ１０００は単一のアンテナ１０１０を含んでもよい。
【０１１１】
基地局デバイス１０２０は、コントローラ１０２１、メモリ１０２２、ネットワークインタフェース１０２３、及び無線通信インタフェース１０２５を含む。
【０１１２】
コントローラ１０２１は、例えばＣＰＵ又はＤＳＰであってよく、基地局デバイス１０２０の上位層の様々な機能を操作する。例えば、コントローラ１０２１は、無線通信インタフェース１０２５により処理された信号内のデータからデータパケットを生成し、生成したパケットをネットワークインタフェース１０２３を介して転送する。コントローラ１０２１は、複数のベースバンドプロセッサからのデータをバンドリングすることによりバンドリングパケットを生成し、生成したバンドリングパケットを転送してもよい。コントローラ１０２１は、無線リソース制御、無線ベアラ制御、移動性管理、流入制御、及びスケジューリングのような制御を実行する論理的な機能を有してもよい。当該制御は、周辺のｅＮＢまたはコアネットワークノードと連携して実行されてもよい。メモリ１０２２は、ＲＡＭ及びＲＯＭを含み、コントローラ１０２１により実行されるプログラム、及び様々な制御データ（例えば、端末リスト、伝送パワーデータ及びスケジューリングデータなど）を記憶する。
【０１１３】
ネットワークインタフェース１０２３は、基地局デバイス１０２０をコアネットワーク１０２４に接続するための通信インタフェースである。コントローラ１０２１はネットワークインタフェース１０２３を介してコアネットワークノード又は他のｅＮＢと通信してもよい。この場合、ｅＮＢ１０００とコアネットワークノード又は他のｅＮＢとはロジックインタフェース（例えばＳ１インタフェースとＸ２インタフェース）により互いに接続される。ネットワークインタフェース１０２３は、有線通信インタフェース、又は無線バックホールのための無線通信インタフェースであってもよい。ネットワークインタフェース１０２３が無線通信インタフェースであると、ネットワークインタフェース１０２３は無線通信インタフェース１０２５により使用される周波数帯域よりも高い周波数帯域を無線通信に使用してもよい。
【０１１４】
無線通信インタフェース１０２５は、任意のセルラー通信方式（例えば、ＬＴＥ（Ｌｏｎｇ  Ｔｅｒｍ  Ｅｖｏｌｕｔｉｏｎ）、ＬＴＥ−Ａｄｖａｎｃｅｄ）をサポートし、アンテナ１０１０を介して、ｅＮＢ１０００のセルにおいて位置する端末までの無線接続を提供する。無線通信インタフェース１０２５は、一般的に、ベースバンド（ＢＢ）プロセッサ１０２６及びＲＦ回路１０２７を含んでもよい。ＢＢプロセッサ１０２６は、例えば、符号化／復号化、変調／復調及び多重化／逆多重化を実行してもよく、そして層（例えばＬ１、媒体アクセス制御（ＭＡＣ）、無線リンク制御（ＲＬＣ）、パケットデータ収束プロトコル（ＰＤＣＰ））の様々な信号処理を実行する。コントローラ１０２１の代わりに、ＢＢプロセッサ１０２６は、上記ロジック機能の一部又は全部を有してもよい。ＢＢプロセッサ１０２６は、通信制御プログラムを記憶するメモリであってもよく、又はプログラムを実行するように配置されるプロセッサ及び関連する回路を含むモジュールであってもよい。ＢＢプロセッサ１０２６の機能はプログラムの更新により変更可能であってもよい。当該モジュールは基地局デバイス１０２０のスロットに挿入されるカード若しくはブレードであってもよい。代わりに、当該モジュールはカード若しくはブレードに搭載されるチップであってもよい。同時に、ＲＦ回路１０２７は例えばミキサ、フィルタ及びアンプを含んでもよく、アンテナ１０１０を介して無線信号を送受信する。
【０１１５】
図１０に示すように、無線通信インタフェース１０２５は、複数のＢＢプロセッサ１０２６を含んでもよい。例えば、複数のＢＢプロセッサ１０２６はｅＮＢ  １０００が使用する複数の周波数帯域と共用されてもよい。図１０に示すように、無線通信インタフェース１０２５は複数のＲＦ回路１０２７を含んでもよい。例えば、複数のＲＦ回路１０２７は複数のアンテナ素子と共用されてもよい。図１０は、無線通信インタフェース１０２５が複数のＢＢプロセッサ１０２６と複数のＲＦ回路１０２７とを含む例を示したが、無線通信インタフェース１０２５は単一のＢＢプロセッサ１０２６又は単一のＲＦ回路１０２７を含んでもよい。
【０１１６】
図１１は、本開示の技術を応用できるｅＮＢの概略的配置の第２例を示すブロック図である。ｅＮＢ１１３０は一つ又複数のアンテナ１１４０と、基地局デバイス１１５０と、ＲＲＨ１１６０とを含む。ＲＲＨ１１６０は各アンテナ１１４０とＲＦケーブルを介して互いに接続されてもよい。基地局デバイス１１５０とＲＲＨ１１６０は例えば光ファイバケーブルの高速回線で互いに接続されてもよい。
【０１１７】
アンテナ１１４０の各々は、単一の又は複数のアンテナ素子（例えば、ＭＩＭＯアンテナに含まれる複数のアンテナ素子）を含み、ＲＲＨ１１６０による無線信号の送受信のために用いられる。図１１に示すように、ｅＮＢ１１３０は複数のアンテナ１１４０を含んでもよい。例えば、複数のアンテナ１１４０は、ｅＮＢ  １１３０が使用する複数の周波数帯域と共用されてもよい。図１１は、ｅＮＢ１１３０が複数のアンテナ１１４０を含む例を示したが、ｅＮＢ１１３０は単一のアンテナ１１４０を含んでもよい。
【０１１８】
基地局デバイス１１５０は、コントローラ１１５１、メモリ１１５２、ネットワークインタフェース１１５３、無線通信インタフェース１１５５、及び接続インタフェース１１５７を含む。コントローラ１１５１、メモリ１１５２、及びネットワークインタフェース１１５３は図１０を参考して記述されたコントローラ１０２１、メモリ１０２２、及びネットワークインタフェース１０２３と同じである。
【０１１９】
無線通信インタフェース１１５５は、任意のセルラー通信方式（例えばＬＴＥ、ＬＴＥ−Ａｄｖａｎｃｅｄ）をサポートし、ＲＲＨ１１６０とアンテナ１１４０とを介してＲＲＨ１１６０に対応するセクタにおいて位置する端末までの無線接続を提供する。無線通信インタフェース１１５５は、一般的に、例えばＢＢプロセッサ１１５６を含んでもよい。ＢＢプロセッサ１１５６が接続インタフェース１１５７を介してＲＲＨ１１６０のＲＦ回路１１６４と接続される構成を除き、ＢＢプロセッサ１１５６は図１０を参考して記述されたＢＢプロセッサ１０２６と同じである。図１１に示すように、無線通信インタフェース１１５５は複数のＢＢプロセッサ１１５６を含んでもよい。例えば、複数のＢＢプロセッサ１１５６はｅＮＢ１１３０が使用する複数の周波数帯域と共用されてもよい。図１１は無線通信インタフェース１１５５が複数のＢＢプロセッサ１１５６を含む例を示したが、無線通信インタフェース１１５５は単一のＢＢプロセッサ１１５６を含んでもよい。
【０１２０】
接続インタフェース１１５７は、基地局デバイス１１５０（無線通信インタフェース１１５５）をＲＲＨ１１６０に接続するためのインタフェースである。接続インタフェース１１５７は基地局デバイス１１５０（無線通信インタフェース１１５５）をＲＲＨ１１６０に接続する上記高速回線での通信のための通信モジュールであってもよい。
【０１２１】
ＲＲＨ１１６０は、接続インタフェース１１６１と無線通信インタフェース１１６３とを含む。
【０１２２】
接続インタフェース１１６１は、ＲＲＨ１１６０（無線通信インタフェース１１６３）を基地局デバイス１１５０に接続するためのインタフェースである。接続インタフェース１１６１は、上記高速回線での通信のための通信モジュールであってもよい。
【０１２３】
無線通信インタフェース１１６３は、アンテナ１１４０を介して無線信号を送受信する。無線通信インタフェース１１６３は、一般的に、例えばＲＦ回路１１６４を含んでもよい。ＲＦ回路１１６４は、例えばミキサ、フィルタ及びアンプなどを含んでもよく、アンテナ１１４０を介して無線信号を送受信する。図１１に示すように、無線通信インタフェース１１６３は複数のＲＦ回路１１６４を含んでもよい。例えば、複数のＲＦ回路１１６４は複数のアンテナ素子をサポートし得る。図１１は、無線通信インタフェース１１６３が複数のＲＦ回路１１６４を含む例を示したが、無線通信インタフェース１１６３は単一のＲＦ回路１１６４を含んでもよい。
【０１２４】
図１０と図１１に示すｅＮＢ１０００とｅＮＢ１１３０において、図２に記述した処理回路５１０及びその中の調整ユニット５１１は、コントローラ１０２１及び／又はコントローラ１１５１により実現されてもよい。そして、図２に記述した通信ユニット５２０は、無線通信インタフェース１０２５、無線通信インタフェース１１５５及び／又は無線通信インタフェース１１６３により実現されてもよい。機能の少なくとも一部は、コントローラ１０２１及びコントローラ１１５１により実現されてもよい。例えば、コントローラ１０２１及び／又はコントローラ１１５１は、対応するメモリに記憶されている命令を実行することによって、調整機能を実行してもよい。
【０１２５】
図１２は、本開示の技術的スマートフォン１２００の概略的配置の例を示すブロック図である。スマートフォン１２００は、プロセッサ１２０１、メモリ１２０２、記憶装置１２０３、外部接続インタフェース１２０４、撮像装置１２０６、センサ１２０７、マイクロフォン１２０８、入力装置１２０９、表示装置１２１０、スピーカ１２１１、無線通信インタフェース１２１２、１つ又は複数のアンテナスイッチ１２１５、１つ又は複数のアンテナ１２１６、バス１２１７、バッテリー１２１８及び補助コントローラ１２１９を含む。
【０１２６】
プロセッサ１２０１は、例えばＣＰＵまたはオンチップシステム（ＳｏＣ）であってもよく、そしてスマートフォン１２００のアプリケーションレイヤ及びその他のレイヤの機能を制御する。メモリ１２０２はＲＡＭとＲＯＭを含み、データと、プロセッサ１２０１により実行されるプログラムを記憶する。記憶装置１２０３は、記憶媒体、例えば半導体メモリ又はハードディスクを含んでもよい。外部接続インタフェース１２０４は、外部装置（例えばメモリーカード又はＵＳＢデバイス）をスマートフォン１２００に接続するためのインタフェースである。
【０１２７】
撮像装置１２０６は、画像センサ（例えばＣＣＤ（ＣｈａｒｇｅＣｏｕｐｌｅｄＤｅｖｉｃｅ）、ＣＭＯＳ（Ｃｏｍｐｌｅｍｅｎｔａｒｙ  ＭｅｔａｌＯｘｉｄｅＳｅｍｉｃｏｎｄｕｃｔｏｒ））を含み、キャプチャ画像を生成する。センサ１２０７は例えば、測定センサ、ジャイロセンサ、地磁気センサ及び加速度センサなどのセンサ群を含んでもよい。マイクロフォン１２０８は、スマートフォン１２００に入力される音声を音声信号に変換する。入力装置１２０９は、例えば表示装置１２１０のスクリーン上のタッチを検出するように配置されるタッチセンサ、キーパッド、キーボード、ボタン又はスイッチを含み、ユーザから入力される操作又は情報を受信する。表示装置１２１０は、スクリーン（例えば液晶ディスプレイ（ＬＣＤ）、有機発光ダイオード（ＯＬＥＤ）ディスプレイ）を含み、スマートフォン１２００の出力画像を表示する。スピーカ１２１１は、スマートフォン１２００から出力される音声信号を音声に変換する。
【０１２８】
無線通信インタフェース１２１２は、任意のセルラー通信方式（例えばＬＴＥ、ＬＴＥ−Ａｄｖａｎｃｅｄ）をサポートし、無線通信を実行する。無線通信インタフェース１２１２は、一般的に、例えばＢＢプロセッサ１２１３とＲＦ回路１２１４とを含んでもよい。ＢＢプロセッサ１２１３は、例えば符号化／復号化、変調／復調及び多重化／逆多重化を実行してもよく、無線通信のための様々な信号処理を実行する。一方、ＲＦ回路１２１４は例えばミキサ、フィルタ及びアンプを含んでもよく、アンテナ１２１６を介して無線信号を送受信する。無線通信インタフェース１２１２は、ＢＢプロセッサ１２１３とＲＦ回路１２１４を集積した１つのチップのモジュールであってもよい。図１２に示すように、無線通信インタフェース１２１２は、複数のＢＢプロセッサ１２１３と複数のＲＦ回路１２１４を含んでもよい。図１２は、無線通信インタフェース１２１２が複数のＢＢプロセッサ１２１３と複数のＲＦ回路１２１４を含む例を示したが、無線通信インタフェース１２１２は単一のＢＢプロセッサ１２１３又は単一のＲＦ回路１２１４を含んでもよい。
【０１２９】
また、セルラー通信方式を除き、無線通信インタフェース１２１２は他の種類の無線通信方式、例えば、近距離無線通信方式、近接無線通信方式又は無線ＬＡＮ（ＬｏｃａｌＡｒｅａＮｅｔｗｏｒｋ）方案をサポートしてもよい。この場合、無線通信インタフェース１２１２は無線通信方式ごとのＢＢプロセッサ１２１３とＲＦ回路１２１４を含んでもよい。
【０１３０】
アンテナスイッチ１２１５の各々は、無線通信インタフェース１２１２に含まれる複数の回路（例えば、異なる無線通信方式のための回路）の間でアンテナ１２１６の接続先を切り替える。
【０１３１】
アンテナ１２１６の各々は、単一の又は複数のアンテナ素子（例えば、ＭＩＭＯアンテナに含まれる複数のアンテナ素子）を含み、無線通信インタフェース１２１２による無線信号の送受信のために用いられる。図１２に示すように、スマートフォン１２００は複数のアンテナ１２１６を含んでもよい。図１２は、スマートフォン１２００が複数のアンテナ１２１６を含む例を示したが、スマートフォン１２００は単一のアンテナ１２１６を含んでもよい。
【０１３２】
また、スマートフォン１２００は、無線通信方式ごとにアンテナ１２１６を含んでもよい。この場合、アンテナスイッチ１２１５は、スマートフォン１２００の配置から省略されてもよい。
【０１３３】
バス１２１７は、プロセッサ１２０１、メモリ１２０２、記憶装置１２０３、外部接続インタフェース１２０４、撮像装置１２０６、センサ１２０７、マイクロフォン１２０８、入力装置１２０９、表示装置１２１０、スピーカ１２１１、無線通信インタフェース１２１２及び補助コントローラ１２１９を互いに接続する。バッテリー１２１８は、図中に破線で部分的に示した支線を介して図１２に示すスマートフォン１２００の各ブロックに電力を供給する。補助コントローラ１２１９は例えば、スリープモードにおいて、スマートフォン１２００の必要最低限の機能を動作させる。
【０１３４】
図１２に示すスマートフォン１２００において、図５に記述した処理回路５１０及びその中の調整ユニット５１１は、プロセッサ１２０１または補助コントローラ１２１９により実現されてもよい。そして、図５に記述した通信ユニット５２０は、無線通信インタフェース１２１２により実現されてもよい。機能の少なくとも一部は、プロセッサ１２０１又は補助コントローラ１２１９により実現されてもよい。例えば、プロセッサ１２０１又は補助コントローラ１２１９は、メモリ１２０２又は記憶装置１２０３に記憶されている命令を実行することによって、調整機能を実行してもよい。
【０１３５】
図１３は、本開示の技術を応用できるカーナビゲーションデバイス１３２０の概略的配置の例を示すブロック図である。カーナビゲーションデバイス１３２０は、プロセッサ１３２１、メモリ１３２２、全地球測位システム（ＧＰＳ）モジュール１３２４、センサ１３２５、データインタフェース１３２６、コンテンツプレーヤ１３２７、記憶媒体インタフェース１３２８、入力装置１３２９、表示装置１３３０、スピーカ１３３１、無線通信インタフェース１３３３、１つ又は複数のアンテナスイッチ１３３６、１つ又は複数のアンテナ１３３７及びバッテリー１３３８を含む。
【０１３６】
プロセッサ１３２１は、例えばＣＰＵ又はＳｏＣであってもよく、カーナビゲーションデバイス１３２０のナビゲーション機能及びその他の機能を制御する。メモリ１３２２はＲＡＭとＲＯＭを含み、データと、プロセッサ１３２１により実行されるプログラムを記憶する。
【０１３７】
ＧＰＳモジュール１３２４は、ＧＰＳ衛星から受信されるＧＰＳ信号を用いて、カーナビゲーションデバイス１３２０の位置（例えば、緯度、経度及び高度）を測定する。センサ１３２５は、例えば、ジャイロセンサ、地磁気センサ及び気圧センサのセンサ群を含んでもよい。データインタフェース１３２６は、図示しない端末を介して例えば、車載ネットワーク１３４１に接続され、車両で生成されるデータ（例えば車速データ）を取得する。
【０１３８】
コンテンツプレーヤ１３２７は、記憶媒体インタフェース１３２８に挿入される記憶媒体（例えば、ＣＤ又はＤＶＤ）に記憶されているコンテンツを再生する。入力装置１３２９は例えば表示装置１３３０のスクリーン上のタッチを検出するように配置されるタッチセンサ、ボタン又はスイッチを含み、ユーザから入力される操作又は情報を受信する。表示装置１３３０は例えばＬＣＤ又はＯＬＥＤディスプレイのスクリーンを含み、ナビゲーション機能の画像又は再生されるコンテンツを表示する。スピーカ１３３１は、ナビゲーション機能の音声又は再生されるコンテンツを出力する。
【０１３９】
無線通信インタフェース１３３３は、任意のセルラー通信方式（例えばＬＴＥ、ＬＴＥ−Ａｄｖａｎｃｅｄ）をサポートし、無線通信を実行する。無線通信インタフェース１３３３は、一般的に、例えばＢＢプロセッサ１３３４とＲＦ回路１３３５とを含んでもよい。ＢＢプロセッサ１３３４は、例えば符号化／復号化、変調／復調及び多重化／逆多重化を実行してもよく、無線通信のための様々なタイプの信号処理を実行する。一方、ＲＦ回路１３３５は例えばミキサ、フィルタ及びアンプを含んでもよく、アンテナ１３３７を介して無線信号を送受信する。無線通信インタフェース１３３３はＢＢプロセッサ１３３４とＲＦ回路１３３５を集積した１つのチップのモジュールであってもよい。図１３に示すように、無線通信インタフェース１３３３は複数のＢＢプロセッサ１３３４と複数のＲＦ回路１３３５を含んでもよい。図１３は、無線通信インタフェース１３３３が複数のＢＢプロセッサ１３３４と複数のＲＦ回路１３３５を含む例を示したが、無線通信インタフェース１３３３は一つのＢＢプロセッサ１３３４又は一つのＲＦ回路１３３５を含んでもよい。
【０１４０】
また、セルラー通信方式の他に、無線通信インタフェース１３３３は他の種類の無線通信方式、例えば、近距離無線通信方式、近接無線通信方式又は無線ＬＡＮ方式をサポートしてもよい。この場合、無線通信方式ごとに、無線通信インタフェース１３３３はＢＢプロセッサ１３３４とＲＦ回路１３３５を含んでもよい。
【０１４１】
アンテナスイッチ１３３６の各々は、無線通信インタフェース１３３３に含まれる複数の回路（例えば、異なる無線通信方式のための回路）の間でアンテナ１３３７の接続先を切り替える。
【０１４２】
アンテナ１３３７中の各々は、一つの又は複数のアンテナ素子（例えば、ＭＩＭＯアンテナに含まれる複数のアンテナ素子）を含み、無線通信インタフェース１３３３による無線信号の送受信のために用いられる。図１３に示すように、カーナビゲーションデバイス１３２０は、複数のアンテナ１３３７を含んでもよい。図１３は、カーナビゲーションデバイス１３２０が複数のアンテナ１３３７を含む例を示したが、カーナビゲーションデバイス１３２０は一つのアンテナ１３３７を含んでもよい。
【０１４３】
また、カーナビゲーションデバイス１３２０は、無線通信方式ごとにアンテナ１３３７を含んでもよい。この場合、アンテナスイッチ１３３６はカーナビゲーションデバイス１３２０の配置から省略されてもよい。
【０１４４】
バッテリー１３３８は、図において破線で部分的に示した支線を介して、図１３に示したカーナビゲーションデバイス１３２０の各ブロックに電力を供給する。バッテリー１３３８は、車両側から給電される電力を蓄積する。
【０１４５】
図１３に示すカーナビゲーションデバイス１３２０において、図６に記述した処理回路６１０及びその中の推定ユニット６１１は、プロセッサ１３２１により実現されてもよい。そして、図６に記述した通信ユニット６２０は、無線通信インタフェース１３３３により実現されてもよい。機能の少なくとも一部は、プロセッサ１３２１により実現されてもよい。例えば、プロセッサ１３２１は、メモリ１３２２に記憶されている命令を実行することによって、測位補助データ確定機能、測位機能及び測定情報生成機能を実行してもよい。
【０１４６】
本開示の技術は、カーナビゲーションデバイス１３２０と、車載ネットワーク１３４１と、車両モジュール１３４２との一つ又は複数のブロックを含む車載システム（又は車両）１３４０として実現されてもよい。車両モジュール１３４２は車両データ（例えば車速、エンジン回転数、故障情報）を生成し、生成したデータを車載ネットワーク１３４１に出力する。
【０１４７】
本開示のシステムと方法において、各部品又は各ステップは、分解及び／又は再結合できることは言うまでもない。これらの分解及び／又は再結合することは、本開示の等価方案と理解される。そして、上記一連の処理を実行するステップは、説明した順序で時系列に従って実行されることは言うまでもないが、必ず時系列に従って実行するとは限らない。あるステップは、並行又は独立に実行されてもよい。
【０１４８】
当業者には理解されるように、本開示の各局面は、システム、方法又は装置プログラム製品として実施してもよい。従って、本開示の各局面は、完全にハードウェアの実施形態の方式、又はソフトウェアを含む実施形態の方式を採用してもよい。本明細書において、前記ソフトウェアを、全部「回路」、「ユニット」又は「システム」と総称してもよい。ひいては、本開示の各局面は、対応する装置可読プログラムコードを有する（１つ又は複数の）装置可読媒体で実施できる装置プログラム製品の方式を採用してもよい。
【０１４９】
特に、非信号記憶装置のような装置可読記憶媒体に記憶されている、プロセッサにより実行される命令を使用して、本明細書に記述した様々な機能を実現してもよい。記憶装置は、電子、磁気、光学、電磁気、赤外線、または半導体のシステム、デバイス、或いは装置、またはこれらの任意の適切な組み合わせであてもよい。記憶媒体の多くの具体的な例について、携帯式コンピュータディスク、ハードディスク、ＲＡＭ（ｒａｎｄｏｍ  ａｃｃｅｓｓ  ｍｅｍｏｒｙ）、ＲＯＭ（Ｒｅａｄ−Ｏｎｌｙ  Ｍｅｍｏｒｙ）、消去可能プログラマブル読み出し専用メモリ（ＥＰＲＯＭ又はフラッシュ）、光ファイバ、ＣＤ−ＲＯＭ（Ｃｏｍｐａｃｔ  Ｄｉｓｃ  Ｒｅａｄ−Ｏｎｌｙ  Ｍｅｍｏｒｙ）、光学記憶装置、磁気記憶装置、またはこれらの任意の適切な組み合わせを含んでもよい。本明細書において、記憶装置は信号ではなく、「非一時的」とは信号媒体以外の全ての媒体を含む。
【０１５０】
無線、有線、光ケーブル、ＲＦなど、またはこれらの任意の適切な組み合わせを含むが、これらに限定されない任意の適切な媒体を使用して、記憶媒体に含まれるプログラムコードを伝送する。
【０１５１】
操作を実行するためのプログラムコードは、１つまたは複数のプログラミング言語の任意の組み合わせで記述してもよく、または機械コードであってもよい。プログラムコードは、完全に単一の装置で実行されて、部分的に単一の装置で実行されて、別個のソフトウェアパッケージとして実行されて、部分的に単一の装置で及び部分的に他の装置で実行されて、又は完全に他の装置で実行されてもよい。ある場合には、任意のタイプの接続又はネットワーク（ＬＡＮ（Ｌｏｃａｌ  Ａｒｅａ  Ｎｅｔｗｏｒｋ）又はＷＡＮ（Ｗｉｄｅ  Ａｒｅａ  Ｎｅｔｗｏｒｋ）を含む）に介して装置を接続してもよく、或いは、他の装置（例えば、インターネットサービスプロバイダのインターネットを使用する）、近距離通信のような無線接続又は有線接続（例えば、ＵＳＢによる接続）に介して接続してもよい。
【０１５２】
本明細書において、様々な例示的な実施形態による例示的な方法、装置及びプログラム製品を示している図面に基づいて、例示的な実施形態を記述する。動作及び機能は、プログラム命令によって少なくとも部分的に実現されることを理解すべきである。これらのプログラム命令は、メカニズムを生成するように、汎用情報処理装置、専用情報処理装置又は他のプログラム可能なデータ処理装置のプロセッサに提供されることで、装置のプロセッサにより実行される命令によって、特定の機能／動作を実現できる。
【０１５３】
特に、図面に特定のブロックを使用して、ブロックの特定の順序を示したが、これらは非限定的な例である。明示的に説明した例は、例示的なものに過ぎず、限定的なものではないと理解すべきであるので、ある場合では、２つ又は複数のモジュールが結合されてもよく、ブロックを２つ又は複数のブロックに分割されてもよく、又は必要に応じて一部のブロックを再配列又は再構してもよい。
【０１５４】
以上で図面と合わせて本発明の実施例を詳細に記述したが、以上で記述された実施形態は、本発明を説明するためのものであり、本発明を制限しないと理解される。当業者にとって、上記実施形態について、本発明の本質と範囲から逸脱せず、各種の補正、変更を行い得る。従って、本発明の範囲は特許請求の範囲及び均等意味のみに限定される。
【図１】
2020506562.tif 000005
【図２】
2020506562.tif 000006
【図３】
2020506562.tif 000007
【図４】
2020506562.tif 000008
【図５】
2020506562.tif 000009
【図６】
2020506562.tif 000010
【図７】
2020506562.tif 000011
【図８】
2020506562.tif 000012
【図９】
2020506562.tif 000013
【図１０】
2020506562.tif 000014
【図１１】
2020506562.tif 000015
【図１２】
2020506562.tif 000016
【図１３】
2020506562.tif 000017
【国際調査報告】
2020506562.tif 000018
2020506562.tif 000019
2020506562.tif 000020
2020506562.tif 000021